(57)【要約】【課題】  ヘルメットに装着するヘッドバンドに関し、新規なサイズ調節機構を提供する。【解決手段】  ヘルメットの内部に設ける帯状のヘッドバンド１であって、バンド本体２の一端部にバックル３を他端に差込片４を形成し、差込片４の係止位置を変更することによってサイズ調整を行なう。バックルには、その内部に弾性によって下方に付勢される下向きの鋸歯状の係止爪を備えるとともに、差込片４の表面に係止爪に係合する鋸歯状の上向きの受け爪10を形成する。凹所として形成するボックス状のバックル主体５を含めて、バンド本体２は、バックル裏板８を除く全体を軟質のポリエチレン樹脂など軟質の合成樹脂材によって一体に成型する。バックル主体５の開放面に、合成樹脂材によって成型したバックル裏板を装着し、バックル裏板に係止爪を形成する。係止爪は、バックル３の表面下部に露出する指掛け部14によって上方に押し上げることができる。【選択図】  図１
2006124849.tif 000002
【特許請求の範囲】
【請求項１】
ヘルメットの内部に設ける帯状のヘッドバンドであって、バンド本体の一端部にバックルを他端に差込片を形成し、差込片の係止位置を変更することによってサイズ調整を行なうヘルメット用ヘッドバンドにおいて、差込片が通過する貫通孔を穿設したボックス状のバックル主体内に、弾性によって下方に付勢される下向きの鋸歯状の係止爪を備えるとともに、差込片の表面に前記係止爪に係合する上向きの鋸歯状の受け爪を形成したことを特徴とするヘルメット用ヘッドバンドのサイズ調節機構。
【請求項２】
バンド本体は、凹所として形成するバックル主体を含めて、バックル裏板を除く全体を軟質のポリエチレン樹脂など軟質の合成樹脂材によって一体に成型するとともに、バックル主体の開放面に合成樹脂材によって成型したバックル裏板を装着し、該バックル裏板の一部に薄肉部で連続させることによって弾性を発揮するノブ板を形成し、該ノブ板の一部に鋸歯状の係止爪を形成する一方、バンド本体の差込片表面に前記係止爪に係合する鋸歯状の受け爪を形成したことを特徴とする請求項１記載のヘルメット用ヘッドバンドのサイズ調節機構。
【発明の詳細な説明】
【技術分野】
【０００１】
この発明は、頑丈な材質で殻状に形成されるヘルメット本体の内部に装着され、着用者の頭部に密着するヘッドバンドに関し、該ヘッドバンドのサイズ調節機構に係る発明である。
【背景技術】
【０００２】
ヘルメットには、図７に示すように頑丈な材質で殻状に形成されるヘルメット本体Ａの内部にハンモックＢを装着し、このハンモックＢにヘッドバンド１を取り付けるものが知られている。このようなヘルメットは、ヘルメット本体Ａに加えられた衝撃がハンモックＢによって吸収される。使用者の頭部には、ヘッドバンド１が密接することによって安定良くヘルメットを装着することができるものであるため、ヘッドバンドには使用者に合わせてサイズ調節ができるように、サイズ調節機構が設けられている。
【０００３】
特許文献１及び２には、バンドのサイズ調整部の表面に形成した、鋸歯状の係合歯にバックルの係合歯を係合させることによって係止するサイズ調節機構が開示されている。このとき特許文献１では、バンドのサイズ調整部の内表面に面方向の鋸歯状の係合歯を形成し、バックルの面に形成した鋸歯状の係合歯を係合させている。これによって、バンドのサイズ調整部を締り方向に移動させることはできるが緩む方向には移動しない構造としている。特許文献２に記載された発明は、バンドの外表面に係合歯を形成し、回動する操作杆先端に形成した爪状の係合部を係合歯に係合させる、公知のバックル構造を利用している。
【０００４】
特許文献３には、バンドのサイズ調整部の外表面に形成した、鋸歯状の係合歯にシーソー回動をする操作板の係合爪を係合させることによって係止させるサイズ調節機構が開示されている。特許文献４には、バンドの両端部に形成したラチェットにピニオンを係合させ、このピニオンを調整ツマミによって回動させることによって締め付け及び締め付け解除を行なうことができるサイズ調節機構が開示されている。
【特許文献１】特開２００３−６４５２３号公報
【特許文献２】特開２００４−５０１号公報
【特許文献３】特開２０００−１３５１３号公報
【特許文献４】特開平０９−３１３２１６号公報
【発明の開示】
【発明が解決しようとする課題】
【０００５】
特許文献２ないし４に開示されている従来のヘルメットのサイズ調節機構は、バンドの面方向から操作を行なうため、ヘルメットをかぶった状態での操作に際し、手指の動きが頭部に向けて押圧操作を行なうという不自然な方向となり、操作がしにくい。また、機構全体の厚みが厚くなりヘルメットの装着感を損なうという欠点があった。特許文献１に開示されたヘルメットのサイズ調節機構は、バンドのサイズ調整部の表面に形成した、鋸歯状の係合歯とバックルの表面に形成した鋸歯状の係合歯が係合する構造であるため力が分散され、外れ易い可能性がある。すなわち、バンドのサイズ調整部からバックルが浮き上がると容易に係合が外れる可能性があり、衝撃が加えられたような場合にヘルメットが脱げる可能性がある。
上記、従来技術の欠点に鑑み、サイズ調節をした状態を確実に維持することができるとともに、自然な手指の動きによって操作を容易に行なうことができる。さらに、サイズ調節部分の厚みが薄くて被り心地のよい、新規なヘルメット用ヘッドバンドのサイズ調節機構を提供することを目的とするものである。
【課題を解決するための手段】
【０００６】
請求項１記載の発明は、ヘルメットの内部に設ける帯状のヘッドバンド１であって、バンド本体２の一端部にバックル３を他端に差込片４を形成し、差込片４の係止位置を変更することによってサイズ調整を行なうヘルメット用ヘッドバンドにおいて、差込片４が通過する貫通孔６を穿設したボックス状のバックル主体５内に、弾性によって下方に付勢される下向きの鋸歯状の係止爪７を備える。一方、差込片４の表面に、前記係止爪７に係合する鋸歯状の受け爪10を形成する。すなわち、差込片４の表面には、表面から突出する状態で上向きの受け爪10を形成しておく。
【０００７】
請求項２記載の発明は、凹所として形成するボックス状のバックル主体５を含めて、バンド本体２は、バックル裏板８を除く全体を軟質のポリエチレン樹脂など軟質の合成樹脂材によって一体に成型する。バンド本体２に凹所として形成するバックル主体５の開放面に、合成樹脂材によって成型したバックル裏板８を装着する。バンド本体２のバックル主体５に装着するバックル裏板８の一部に、薄肉部13で連続させることによって弾性を発揮するノブ板９を形成し、このノブ板９の一部に鋸歯状の係止爪７を形成する。すなわち、バックル裏板８は薄肉部13を形成することによって復帰弾性を発揮することができるやや固めの合成樹脂材で成型する。
一方、バンド本体２の差込片４の表面には、前記係止爪７に係合する鋸歯状の受け爪10を形成する。
【発明の効果】
【０００８】
請求項１記載の発明によれば、バンド本体２の一端部に形成したボックス状のバックル主体５に、バンド本体２の他端部に形成した差込片４を貫通させる。このとき、バックル主体５内に配置してある係止爪７を上方に押し上げておくことによって、差込片４はバックル主体５を自由に通過し、サイズ調節を行なうことができる。
【０００９】
バンド本体２のサイズ調節ができた状態で係止爪７の下から上への押圧を解除すると、係止爪７が下方に移動して受け爪10に係合し、係止爪７を設けたノブ板９を復帰させる薄肉部13の弾性によって適正サイズの係合状態を維持する。サイズ変更を行なう場合は、前記場合とは逆にノブ板、具体的にはノブ板の指掛け部14を弾性に抗して押し上げることによって、係止爪７を備えたノブ板９と受け爪10の係合状態を解除することができる。このように、本発明では、手を後に廻して、手指によって係止爪７を備えたノブ板９を下から上に押し上げる自然な操作によって、簡単にヘッドバンドのサイズ調節を行なうことができる。
【００１０】
本発明では、適正サイズに調節された状態が確実に維持され、係止爪７と受け爪10の係合が簡単に外れるようなことがない。すなわち、係止爪７を備えたノブ板９を復帰させる薄肉部13の弾性によって係合状態が維持され、確実に係止状態を維持することができる。そのため、衝撃が加えられるような非常事態に際しても、ヘルメットが不用意に脱げるようなことがなく極めて安全である。
【００１１】
請求項２記載の発明によれば、請求項１記載の発明を極めて簡単で、全体の厚みが薄い構造として実施することができる。すなわち、バックル裏板８を除くヘッドバンド全体を一体成型し、バンド主体２に凹所として成型したバックル主体５部分に、係止爪７を備えたノブ板９と、これを復帰させる薄肉部13を一体成型したバックル裏板８を装着するといった極めて簡単な構造によって、調節したサイズを確実に維持するヘッドバンドの調節機構を実現することができる。
【発明を実施するための最良の形態】
【００１２】
添付図面は、本発明に係るヘルメット用ヘッドバンドのサイズ調節機構の実施形態を示すものである。図１はヘルメット用ヘッドバンド全体の展開図であり、バックル主体及び差込片部分を拡大表示している。
【００１３】
ヘッドバンド１のバンド主体２は、軟質のポリエチレン樹脂などの合成樹脂材で帯状、具体的には頭部を周回させて安定するように、大きな曲率半径の弧状に形成する。帯状のバンド主体２の上辺には、ヘルメット本体Ａ内のハンモックＢに装着するための連結片11，11を突出させるとともに、帯状であるバンド本体２の一端部にはバックル３を、他端部には差込片４を形成している。
【００１４】
ヘッドバンド１バックル３及び差込片４は、頭部を周回させる広幅であるバンド本体２の両端部において、差込片４とバックル片3aをそれぞれ斜め下方に突出させ、バックル片3aに設けたバックル３に差込片４を差し込んで連結することによって、ヘルメットを被ったときにバックル３が後頭部のやや下に位置し、ヘルメットを被った状態でバックルが邪魔にならないようにするとともに、後頭部に廻した手の手指によってサイズ調節を行ない易い部位に位置するようにしている。
【００１５】
バックル片3aにはバックル３を形成するためのバックル主体５を形成している。バックル主体５は、内面から外面方向に突出する皿状の凹所として成型し、その両端部分に差込片４を通過させるための貫通孔６，６を穿設している。バックル主体５の正面中央下部には、指掛け部14を露出させるための窓孔12が穿設してある。
【００１６】
開放状態となるバックル本体５の内面には、図５、図６に示すバックル裏板８を装着する。バックル裏板８は、前記凹所として形成されるバックル主体の開放面を覆う平板部8aに、ノブ板９を一体に形成している。ノブ板９は、平板部8aの中央下半部において薄肉部13で連続する略方形に形成し、平板部8aよりも外面方向に位置させてある。そして、ノブ板９の外面には、バックル裏板８をバックル主体５の内面に装着したときに、バックル主体５に形成した窓孔12から突出する指掛け部14が形成してある。ノブ板９の内面にはその上端部分から下方に向けて係止爪７を突出成型している。(図６参照)
【００１７】
平板部8aとノブ板９が連続する薄肉部13は、薄い板状に形成することによってバネとして機能するようにしている。すなわち、バックル裏板８はノブ板と連続させた薄肉部によってバネとして機能する材質の合成樹脂材で一体成型することによって、バックル全体の薄型化を実現している。これにより、図６の(ａ)に示す平常状態から、指掛け部14を上方に押し上げることによって、ノブ板９全体が図６の(ｂ)に示すように上方に移動し、かつこの状態ではノブ板９全体が下方に戻ろうとする弾性が働く。本発明において、係止爪７は下方に付勢されるものであるが、上記実施形態からも理解されるように、常時下方に付勢されているものである必要はなく、少なくとも受け爪10との係合が外れる位置において、下方に向け作用し、受け爪10に合致するところ迄戻る弾性があればよい。
【００１８】
バンド本体２の他端に位置する差込片４の表面には、上下位置に二つの凸条(図示実施形態では、差込片の柔軟性を確保するために、短い間隔で途切れさせている)を、略平行に形成している。二つの凸条のうち、上位置の凸条15はガイドとして機能し、下位置の凸条の上縁には上方に向けて受け爪10を形成している。すなわち、周回させた差込片４を、貫通孔６,６を貫通させてバックル３を通過させると、バックル３内において下向きに形成されている係止爪７と、差込片４の表面に突出形成されている上向きの受け爪10が係合し、係合状態が維持される。バックル裏板８には、上端から下方に向けてガイド片16を突出させることによって差込片４がバックル３を通過する際、バックル裏板から浮き上がるのを防止している。
【００１９】
図２は、バックル３に差込片４を差し込んだ状態の正面図であり、その中央縦断面図を図３に示している。図３の(ａ)は、係止状態を示すものであるが、バックル３内において、バンド本体の差込片４に形成した上向きの受け爪10に対してノブ板９に形成した下向きの係止爪７が係合し、差込片４の移動を阻止する。このとき、バックル裏板８に形成したガイド片16が差込片４の上端部に位置し、差込片の浮き上がりを防止し、バックル内での差込片４の挿通を円滑にしている。
【００２０】
図３の(ａ) に示す状態で、弾性に抗して手指で指掛け部14を上方に押し上げると、図３の(ｂ)に示すようにノブ板９が上方に移動し、ノブ板９の係止爪７と差込片４の受け爪10の係合が解除され、差込片４を移動させることによってサイズを自由に調節することができる。サイズ調節を行なった後に手指による押圧を解除すると、薄肉部13の弾性すなわちバネの力によって、ノブ板９が図３(ａ)に示す元の状態に復帰し、係止爪７と受け爪10が係合し、調節されたサイズを維持する。
【００２１】
バックル３を通過した差込片４の先端は、バックル片3aと重なる方向に突出するが、突出した差込片の先端が浮き上がって邪魔にならないように、バックル片3aの表面に浮き上がり防止片17を設けている。浮き上がり防止片17は、差込片４が通過する幅の間隔を隔てて、略Ｌ字形の立ち上がり部材として設けている。Ｌ字形の浮き上がり防止片17は、その上辺を内側に向けて形成している。これにより、バックルを通過した差込片４の先端はバックル片3aと重なった状態が維持され、邪魔になることがない。
【００２２】
以上述べたように、差込片４をバックル３に通し、指掛け部14を指で押し上げながら差込片４を移動させてサイズ調節を行い、指掛部の押圧を解除することによってサイズ調節を行なうことができる構造になっている。そして、このサイズ調節された状態を確実に維持する。
【００２３】
本発明では、鋸歯状の受け爪10の歯の間隔毎にサイズ変更が可能であり、例えば鋸歯状の受け爪10のピッチを２ないし３ミリとすれば、その寸法単位でサイズ変更をすることができる。図示実施形態における受け爪10の形状は、一辺が垂直方向である略三角形としている。そして、緩む方向の力を垂直の辺で受けるようにしているが、受け爪及び係止爪の双方もしくはいずれか一方の形状を、例えば角形とすることもできる。
【００２４】
ヘルメット用ヘッドバンドは、図７に示すように、ヘルメット本体Ａ内において下端部が固定されるハンモックＢに固定して使用することによって、ヘルメットに加えられた衝撃が着用者の頭部に直接伝わらないように使用されるものであるが、その具体的な構造は特に限定されるものではない。例えば、頭頂部に比較的大きな面の緩衝部材Ｃを配置することもできる。
【図面の簡単な説明】
【００２５】
【図１】図１は、本発明ヘルメット用ヘッドバンドの実施形態を示すもので、バックル主体及び差込片部分を拡大表示した全体の展開図、
【図２】図２は、差込片を差し込んだ状態のバックル部分の正面図、
【図３】図３は、図２の正面縦断面図、
【図４】図４は、図２に示すバックル部分の背面図、
【図５】図５は、バックル主体の背面に装着するバックル裏板の正面図、
【図６】図６は、バックル裏板の背面図、
【図７】図７は、ヘルメット用ヘッドバンドの使用状態を示す参考図。
【符号の説明】
【００２６】
１…ヘッドバンド、  ２…バンド本体、  ３…バックル、  3a…バックル片、  ４…差込片、  ５…バックル主体、  ６…貫通孔、  ７…係止爪、  ８…バックル裏板、  8a…平板部、  ９…ノブ板、  10…受け爪、  11…連結片、  12…窓孔、  13…薄肉部、  14…指掛け部、  15…凸条、  16…ガイド片、  17…浮き上がり防止片、  Ａ…ヘルメット本体、  Ｂ…ハンモック、  Ｃ…緩衝部材。
【図１】
2006124849.tif 000003
【図２】
2006124849.tif 000004
【図３】
2006124849.tif 000005
【図４】
2006124849.tif 000006
【図５】
2006124849.tif 000007
【図６】
2006124849.tif 000008
【図７】
2006124849.tif 000009